【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
通信インタフェースでブロードキャストされたリアルタイムのメディアデータを受信するように動作可能な受信回路と、
前記ブロードキャストされたリアルタイムのメディアデータからリアルタイムのメディアコンテンツを抽出し、移動通信デバイスのユーザインタフェースを介して前記抽出されたリアルタイムのメディアコンテンツを出力するように動作可能な信号処理ロジックと、
を有し、
前記ブロードキャストされたリアルタイムのメディアデータの少なくとも部分的なデータのロスを決定したことに応じて、前記信号処理ロジックは、通信インタフェースを介してサービス提供通信ユニットとユニキャスト接続を確立することを試み、前記ユニキャスト接続で代替のリアルタイムのメディアデータ信号を受信し、前記代替のリアルタイムメディアデータ信号から前記ユーザインタフェースを介して出力するためにリアルタイムのメディアコンテンツを抽出し、
前記信号処理ロジックが前記代替のリアルタイムのメディアデータ信号を受信するユニキャスト接続を確立できないことに応じて、前記信号処理ロジックは、前記移動通信デバイスのメモリエレメントから格納されたメディアコンテンツを取得し、前記移動通信デバイスの前記ユーザインタフェースを介して前記取得されたメディアコンテンツを出力するように動作可能である移動通信デバイス。
【請求項２】
前記信号処理ロジックは、前記抽出されたリアルタイムのメディアコンテンツのサービス品質がその後に閾値レベルを超過したことを決定したことに応じて、前記移動通信デバイスの前記ユーザインタフェースを介して、前記ブロードキャストされたリアルタイムのメディアデータから抽出された前記リアルタイムのメディアコンテンツを出力するように動作可能である、請求項１に記載の移動通信デバイス。
【請求項３】
前記通信インタフェースは、無線インタフェースを有する、請求項１に記載の移動通信デバイス。
【請求項４】
前記信号処理ロジックは、前記ブロードキャストされたリアルタイムのメディアデータにおけるギャップが所定の期間を超過したことを検出したことに応じて、前記移動通信デバイスのメモリエレメントから前記格納されたメディアコンテンツを取得するように動作可能である、請求項１に記載の移動通信デバイス。
【請求項５】
前記信号処理ロジックは、前記リアルタイムのメディアコンテンツ、ユーザプロフィール、日時、日付のグループのうち少なくとも１つにより決定されたメディアデータのクラスに従って、前記格納されたメディアコンテンツを取得するように動作可能である、請求項１に記載の移動通信デバイス。
【請求項６】
前記格納されたメディアコンテンツは、広告、スポーツクリップ、ハイライト、スコア、インタビュー、ニュースクリップ、ヘッドライン又はこれらの組み合わせを含むメディアコンテンツのカテゴリのグループのうち少なくとも１つを有する、請求項１に記載の移動通信デバイス。
【請求項７】
前記信号処理ロジックは、前記移動通信デバイスの非活動期間中、定期的のうち少なくとも１つの間に、メモリに格納するため、メディアコンテンツをダウンロードするように動作可能である、請求項１に記載の移動通信デバイス。
【請求項８】
前記ブロードキャストされたリアルタイムのメディアデータから抽出された前記リアルタイムのメディアコンテンツの少なくとも部分的なデータのロスを決定したことに応じて、前記信号処理ロジックは、ブロードキャストされたリアルタイムのメディアデータが受信される前記通信インタフェース以外の通信施設を介して、リアルタイムのメディアコンテンツをダウンロードするように動作可能である、請求項１に記載の移動通信デバイス。
【請求項９】
前記格納されたメディアコンテンツは、時間依存の制限を有する、請求項１に記載の移動通信デバイス。
【請求項１０】
前記信号処理ロジックは、取得時の前記時間依存の制限に関して、有効である格納されたメディアコンテンツのみを取得するように動作可能である、請求項９に記載の移動通信デバイス。
【請求項１１】
前記時間依存の制限は、メディアコンテンツがもはや有効でなくなる失効日、メディアコンテンツが有効である日付の期間、メディアコンテンツが有効である日々の期間、メディアコンテンツが有効である少なくとも１つの日付のうち少なくとも１つを有する、請求項９に記載の移動通信デバイス。
【請求項１２】
前記ブロードキャストされたリアルタイムのメディアデータから抽出された前記ブロードキャストされたメディアコンテンツの少なくとも部分的なデータのロスを決定したことに応じて、前記信号処理ロジックは、前記受信回路による前記通信インタフェースでのブロードキャストされたリアルタイムのメディアデータの受信を一時停止するように更に動作可能である、請求項１に記載の移動通信デバイス。
【請求項１３】
前記信号処理ロジックは、前記ブロードキャストされたリアルタイムのメディアデータから抽出された前記メディアコンテンツの少なくとも一部がユーザプロフィールに従ったデータに合致しないことを決定したことに応じて、前記移動通信デバイスのメモリエレメントから前記格納されたメディアコンテンツを取得し、前記移動通信デバイスの前記ユーザインタフェースを介して前記格納されたメディアコンテンツを出力するように更に動作可能である、請求項１に記載の移動通信デバイス。
【請求項１４】
前記信号処理ロジックは、前記ユーザインタフェースを介して前記取得されたメディアコンテンツを出力する前に、ブロードキャストされたリアルタイムのデータの少なくとも部分的なロスが生じたという指示を前記ユーザインタフェースに表示するように動作可能である、請求項１に記載の移動通信デバイス。
【請求項１５】
前記ブロードキャストされたリアルタイムのメディアデータの受信データの部分的なロスを決定したことに応じて、前記信号処理ロジックは、失われたリアルタイムのメディアコンテンツを要求する接続を確立するように動作可能であり、
前記失われたリアルタイムのメディアコンテンツのその後の受信に応じて、前記信号処理ロジックは、前記ユーザインタフェースを介して前記失われたリアルタイムのメディアコンテンツを出力するように更に動作可能である、請求項１に記載の移動通信デバイス。
【請求項１６】
前記リアルタイムのメディアコンテンツの品質が閾値レベルを超過したことを前記信号処理ロジックが決定したことに応じて、前記信号処理ロジックは、前記失われたリアルタイムのメディアコンテンツが前記ユーザインタフェースを介して出力されるまで、前記ブロードキャストされたリアルタイムのメディアデータから抽出されたメディアコンテンツをバッファに入れるように動作可能である、請求項１５に記載の移動通信デバイス。
【請求項１７】
前記ブロードキャストされたリアルタイムのメディアデータは、マルチメディア・ブロードキャスト・マルチキャスト・サービス（MBMS：Multimedia  Broadcast  Multicast  Service）ストリーミングサービスを有する、請求項１に記載の移動通信デバイス。
【請求項１８】
前記ブロードキャストされたリアルタイムのメディアデータは、DVB-H（Digital  Video  Broadcasting-Handheld）ストリーミングサービスを有する、請求項１に記載の移動通信デバイス。
【請求項１９】
移動通信デバイスでメディアコンテンツを出力するコンピュータ動作可能な方法であって、
通信インタフェースでブロードキャストされたリアルタイムのメディアデータを受信し、
前記ブロードキャストされたメディアデータからリアルタイムのメディアコンテンツを抽出し、
前記移動通信デバイスのユーザインタフェースを介して前記抽出されたリアルタイムのメディアコンテンツを出力し、
前記ブロードキャストされたリアルタイムのメディアデータから抽出された受信したリアルタイムのメディアコンテンツの部分的なロスを決定し、
決定に基づいて、通信インタフェースを介してサービス提供通信ユニットとユニキャスト接続を確立することを試み、前記ユニキャスト接続で代替のリアルタイムのメディアデータ信号を受信し、前記代替のリアルタイムメディアデータ信号から前記ユーザインタフェースを介して出力するためにリアルタイムのメディアコンテンツを抽出し、
前記代替のリアルタイムのメディアデータ信号を受信するユニキャスト接続を確立できないことを決定し、
決定に基づいて、前記移動通信デバイスのメモリエレメントから格納されたメディアコンテンツを取得し、
前記移動通信デバイスの前記ユーザインタフェースを介して前記取得後の格納されたメディアコンテンツを出力することを有する方法。
【請求項２０】
移動通信デバイスと無線通信するノードを有する移動通信システムであって、
通信インタフェースでブロードキャストされたリアルタイムのメディアデータを受信するように動作可能な受信回路と、
前記ブロードキャストされたリアルタイムのメディアデータからリアルタイムのメディアコンテンツを抽出し、前記移動通信デバイスのユーザインタフェースを介して前記抽出されたリアルタイムのメディアコンテンツを出力するように動作可能な信号処理ロジックと、
を有し、
前記ブロードキャストされたリアルタイムのメディアデータから抽出されたリアルタイムのメディアコンテンツの少なくとも部分的なロスを決定したことに応じて、前記信号処理ロジックは、
通信インタフェースを介してサービス提供通信ユニットとユニキャスト接続を確立することを試み、前記ユニキャスト接続で代替のリアルタイムのメディアデータ信号を受信し、前記代替のリアルタイムメディアデータ信号から前記ユーザインタフェースを介して出力するためにリアルタイムのメディアコンテンツを抽出し、
前記代替のリアルタイムのメディアデータ信号を受信するユニキャスト接続を確立できないことを決定し、
決定に基づいて、前記移動通信デバイスのメモリエレメントから格納されたメディアコンテンツを取得し、前記移動通信デバイスの前記ユーザインタフェースを介して前記取得されたメディアコンテンツを出力するように動作可能である移動通信システム。
【請求項２１】
請求項１９に記載の方法を実行するための、移動通信デバイスでメディアコンテンツを出力する命令を有するコンピュータ可読媒体。
【請求項２２】
ハードディスク、CD-ROM、光記憶デバイス、磁気記憶デバイス、ROM（Read  Only  Memory）、PROM（Programmable  Read  Only  Memory）、EPROM（Erasable  Programmable  Read  Only  Memory）、EEPROM（Electrically  Erasable  Programmable  Read  Only  Memory）及びフラッシュメモリのうち少なくとも１つを有する、請求項２１に記載のコンピュータ可読媒体。